(57)【要約】      （修正有）【課題】ドラム缶を吊具により上方へ吊り上げ移動させることができると共に、吊具を固定具より外すことにより吊具を斜状に形成し、取っ手を手で持って中身を排出することができ、そのままドラム缶を積み重ねて載置することができ、多用に使用できるドラム缶移動具を提供する。【解決手段】ドラム缶の外周を保持する締付バンド２と、締付バンドに取り付けてなる補強板３と、補強板に可動可能に設けてなる吊り上げるための吊具４と、吊具を一定方向に固定する固定具５と、ドラム缶を持ち上げるためのストッパー部を設けてなる取手６とから構成される。【選択図】図１
2011006259.tif 000002
【特許請求の範囲】
【請求項１】
ドラム缶の外周を保持する締付バンドと、締付バンドに取り付けてなる補強板と、補強板に可動可能に設けてなる吊り上げるための吊具と、吊具を一定方向に固定する固定具と、ドラム缶を持ち上げるためのストッパー部を設けてなる取手とからなることを特徴とするドラム缶移動具。
【請求項２】
補強板あるいは締付バンドに、吊具を一定位置に止めるための係止部を設けてなることを特徴とする請求項１記載のドラム缶移動具。
【請求項３】
補強板あるいは締付バンドに、ロープ取付具を設けてなることを特徴とする請求項１又は２記載のドラム缶移動具。
【請求項４】
固定具が、吊具の側方より係止固定すべく、先端に係止溝を形設した可動板を蝶設してなる構成であることを特徴とする請求項１、２又は３記載のドラム缶移動具。
【請求項５】
下段の締付バンドの内側に、ドラム缶を持ち上げるためのストッパー部を設けてなる取手を設けると共に、ドラム缶を重ねて載置する時、左右の摩れを防止するための摩れ止め具を設けてなることを特徴とする１、２、３又は４記載のドラム缶移動具。
【請求項６】
ストッパー部が、上下に突設した棒体で構成されてなることを特徴とする請求項１、２、３、４又は５記載のドラム缶移動具。
【発明の詳細な説明】
【技術分野】
【０００１】  本発明は、主にドラム缶を吊り上げたり、ドラム缶を斜状に形成させたりすることのできるドラム缶移動具に関するものである。
【背景技術】
【０００２】  従来の技術として、上部開口の内周縁部に内フランジを有するドラム缶状容器の搬送用吊り具であって、略容器の半径に対応する長さを有し、先端に前記内フランジに嵌合可能な係合部を有する２つの固定アームと、伸縮自在に構成され、略容器の半径に対応する伸長状態で固定可能であり、かつ先端に前記内フランジに嵌合可能な係合部を有する伸縮アームと、前記固定アームおよび前記伸縮アームを放射状に相互角度１２０°に開いた状態で、その基端側を結合する連結部材と、前記固定アームおよび前記伸縮アームの先端付近に結合される、吊り索を掛け止めるための係止部材と、を具備することを特徴とする容器の搬送用吊り具がある。（特許文献１参照）【０００３】  また、別の従来技術として、ドラム缶底部支持部材及びドラム缶下方側面保持部材によって架橋された一対の平行な第一アーム部材と、転倒時にドラム缶の頂部を支持する部材及びドラム缶上方側面保持部材によって架橋された一対の平行な第二アーム部材とが、支持脚部に設けられた回転支点の方向から見て略Ｖ字形をなすように固定されて形成されたドラム缶保持手段が、該支点部を中心に回転するように支持脚部に取り付けられたドラム缶転倒機であって、ドラム缶底部支持部材を上方に持ち上げることによってドラム缶保持手段が該支点を中心に回転することにより該ドラム缶保持手段に載置されたドラム缶が転倒することを特徴とする前記ドラム缶転倒機がある。（特許文献２参照）
【先行技術文献】
【特許文献】
【０００４】
【特許文献１】  特開２００７−１３１３９４号  公報
【特許文献２】  特開２００２−２２０１２０号  公報
【発明の概要】
【発明が解決しようとする課題】
【０００５】  上記前者は、ドラム缶のフランジに嵌合する係合部を設けた固定アームで吊り上げる形態で、単にドラム缶を吊り上げるものであり、ドラム缶を斜状に形成させて中味を排出させる等の作業は行なえない。
また、そのままドラム缶を積み重ねての使用はできない。【０００６】  上記後者は、ドラム缶を斜状に形成し、内容物を排出させる目的のもので、吊り上げ作業には不向きなものであり、上記前者同様にそのままドラム缶を積み重ねての使用はできない。【０００７】  本発明は、このような従来の構成が有していた問題を解決しようとするものであり、ドラム缶を吊具により上方へ吊り上げ移動させることができると共に、吊具を固定具より外すことにより吊具を斜状に形成し、取手を手等で持って中味を排出することができ、そのままドラム缶を積み重ねて載置することができ、多用に使用できるドラム缶移動具を提案することを目的とする。
【課題を解決するための手段】
【０００８】  本発明は、上記目的を達成するために、ドラム缶の外周を保持する締付バンドと、締付バンドに取り付けてなる補強板と、補強板に可動可能に設けてなる吊り上げるための吊具と、吊具を一定方向に固定する固定具と、ドラム缶を持ち上げるためのストッパー部を設けてなる取手とからなる。
補強板あるいは締付バンドに、吊具を一定位置に止めるための係止部を設けてなること。
補強板あるいは締付バンドに、ロープ取付具を設けてなること。
固定具が、吊具の側方より係止固定すべく、先端に係止溝を形設した可動板を蝶設してなる構成である。
下段の締付バンドの内側に、ドラム缶を持ち上げるためのストッパー部を設けてなる取手を設けると共に、ドラム缶を重ねて設置する時、左右の摩れを防止するための摩れ止め具を設けてなること。
ストッパー部が、上下に突設した棒体で構成されてなることを特徴とする。
【発明の効果】
【０００９】１）、補強板に可動可能に設けてなる吊具を一定方向に固定する固定具を設けることにより、ドラム缶を上方（垂直）に振れることなく、移動させることができると共に、吊具を固定具より外すことにより吊具が前後に可動可能になり、ドラム缶を斜状に形成することもでき、多目的に使用できる。
２）、取手により、フックを引っ掛けてドラム缶の中味を排出することもできるし、必要に応じて吊り上げて移動することもできる。
３）、取手にストッパー部を設けることにより手で取手を掴んで真上や斜上にドラム缶を持ち上げても、手（指）がドラム缶に挟まれることなく安全に作業を行うことができる。
４）、係止部により、吊具を一定位置に係止することができ、手等を挟むこともなく、安全に使用できる。
５）、ロープ取付具を設けることにより、ドラム缶の揺れを防止することができ、より安全に作業を行うことができる。
６）、摩れ止め具を設けることにより、ドラム缶を積み重ねた時の摩れを防止することができる。
【図面の簡単な説明】
【００１０】
【図１】  本発明の第１実施例を示すドラム缶移動具の一部縦断正面図。
【図２】  本発明の第１実施例を示すドラム缶移動具の平面図。
【図３】  本発明の第１実施例を示すドラム缶移動具の取手の作動状態図。
【図４】  本発明の第１実施例を示すドラム缶移動具の使用状態図。
【図５】  本発明の第２実施例を示すドラム缶移動具の締付バンドの一部縦断拡大正面図。
【図６】  本発明の第３実施例を示すドラム缶移動具のロープ取付具の正面図。
【図７】  本発明の第４実施例を示すドラム缶移動具の要部の一部縦断正面図。
【図８】  本発明の第４実施例を示すドラム缶移動具の要部の一部縦断平面図。
【図９】  本発明の第４実施例を示すドラム缶移動具の要部の摩れ止め具の一部縦断正面図。
【発明を実施するための形態】
【００１１】  １は、ドラム缶移動具である。
２−−は、ドラム缶の外周を保持するリング状の締付バンドで、ボルトＢＴによる着脱自在な締付部２ａを設けてなり、上下３本設けてある。（上下２本でもよい）
３は、上記締付バンド２−−間に設けてなる補強板で、２本から６本で連結してなり、少なくとも２本の下部に、下記の吊具を一定位置に止めるための係止部３ａ（側面八の字型でもよい）を設けてある。
４は、上記補強板３に支持ピン４ａにて前後に可動可能に設けてなるドラム缶を吊り上げるための吊具で、略コの字形の吊本体４ｃを形設し、頂部に引掛部４ｂを設けてある。
５は、上記補強板３の上端に設けてなる固定具で、上記吊具４を一定方向（垂直方向）に係止固定するもので、先端に略Ｕ字形の係止溝５ａ１を形設した可動板５ａを、基板５ｂに設けた蝶番５ｃに蝶設してなる。
６は、上記締付バンド２にドラム缶を持ち上げるための取手で、上下可動可能な取手本体６ｂの上部中央に、上下に突設した棒体によるストッパー部６ａを設けてなる。
【００１２】  上記ドラム缶移動具１の使用例について説明する。
まず、ドラム缶Ｄ（１本のドラム缶でもよく、半分に切断した半缶でもよい。）を吊り上げる使用例について説明する。
ドラム缶Ｄの上部にドラム缶移動具１を取り付けるべく、締付バンド２−−−を締付部２ａにて固定する。
つぎに、吊具４の吊本体４ｃの側方に対して固定具５の可動板５ａを反転させ、係止溝５ａ１にて係止固定する。
この状態で、吊本体４ｃの引掛部４ｂにクレーン（図示せず）等のフックＦを引っ掛け、上方に吊り上げ移動できるものである。
また、可動板５ａを元の位置に戻すことにより吊具４が可動可能となり、ドラム缶Ｄを斜状に形成して中味を出すことができ、係止部３ａにより一定位置にて止めることができ安全に作動ができる。
【００１３】  第２実施例のドラム缶移動具について説明する。
ドラム缶移動具２１は、締付ベルト２２の締付部２２ａが、蝶番の一端を溶接にて固着し、ドラム缶（図示せず）に巻きつけた後に他端を溶接にて固定になるもので、取り外しができない形態である。
【００１４】第３実施例のドラム缶移動具について説明する。
ドラム缶移動具３１は、補強板３３・３３の下部にロープ取付具７を設けてなるもので、ロープＲを取付け、左右方向にドラム缶（図示せず）を支持することにより、より安定させて移動させることができる。
【００１５】第４実施例のドラム缶移動具について説明する。
ドラム缶移動具４１は、下段の切欠部４２ａを設けた幅広の締付バンド４２内に十字状の受部４２ｂを形設すると共に、上記と同様な取手４６・４６を設けてある。また、受部４２ｂ´の近傍位置に、ドラム缶（図示せず）を重ねて載置する時、左右の摩れを防止するため、内側中心に溝８ａ１を形設した半円状のカバー８ａと、カバー８ａ内に上下動可動な半円柱状のピン８ｂを突設した摩れ止めピン８ｃとからなる摩れ止め具８を設けてある。
【００１６】上記ドラム缶移動具４１は、幅広の締付バンド４２をドラム缶Ｄ１の下端に取り付けることにより、半分に切断したドラム缶Ｄ１の下部を強固に固定支持することができる。
つぎに、この状態でドラム缶Ｄ１を上記ドラム缶移動具１のように吊り上げた後、取手４６を手（図示せず）で掴み持ち上げることによりドラム缶Ｄ１を斜状に形成し、中味の例えばゴミ等を外へ排出させることができる。
また、下段のドラム缶（図示せず）の上にドラム缶Ｄ１を載置する揚合、摩れ止め具８の摩れ止めピン８ｃが下方に突出しており、下段のドラム缶（図示せず）の開口部へ係止され、左右の摩れを防止できるものである。
【００１７】  なお、上記各実施例において、締付バンドや補強板の数や取付位置は、特に限定するものではない。
また、締付部や摩れ止め具等の形状は、同様な機能を有するものであれば、特に限定しない。
さらに、取手の取付数も必要に応じて決めればよい。
さらにまた、使用するドラム缶は１本物でも、半分に切断したものでもよい。
【符号の説明】
【００１８】１−−−ドラム缶移動具
２−−−締付バンド
２ａ−−締付部
３−−−補強板
３ａ−−停止部
４−−−吊具
４ａ−−支持ピン
４ｂ−−引掛部
４ｃ−−吊本体
５−−−固定具
５ａ−−可動板
５ａ１−係止溝
５ｂ−−基板
５ｃ−−蝶香
６−−−取手
７−−−ロープ取付具
６ａ−−ストッパー部
６ｂ−−取手本体
８−−−摩れ止め具
８ａ−−カバー
８ａ１−溝
８ｂ−−ピン
８ｃ−−摩れ止めピン
Ｄ−−−ドラム缶
Ｄ１−−ドラム缶
Ｆ−−−フック
２１−−ドラム缶移動具
２２−−締付バンド
２２ａ−締付部
２３−−補強板
２６−−取手
２６ｂ−取手本体
３１−−ドラム缶移動具
３３−−補強板
４２−−締付バンド
４２ａ−切欠部
４２ｂ−受部
４６−−取手
【図１】
2011006259.tif 000003
【図２】
2011006259.tif 000004
【図３】
2011006259.tif 000005
【図４】
2011006259.tif 000006
【図５】
2011006259.tif 000007
【図６】
2011006259.tif 000008
【図７】
2011006259.tif 000009
【図８】
2011006259.tif 000010
【図９】
2011006259.tif 000011